【事件の表示】
　特願２００２−１５９０５３「電子機器の外装ケース」拒絶査定不服審判事件〔平成１６年１月８日出願公開、特開２００４−４２５０〕について、次のとおり審決する。
【結　論】
　本件審判の請求は、成り立たない。
【理　由】
１　手続の経緯及び本願発明
　本願は、平成１４年（２００２年）５月３１日に出願された特願２００２−１５９０５３号の特許出願であって、原審における平成１８年１１月６日付の拒絶理由通知に対し、平成１９年１月９日付の意見書が提出され、また、平成１９年２月８日付の再度の拒絶理由通知に対し、平成１９年４月１１日付の意見書とともに同日付の手続補正書が提出されたところ、前記平成１９年２月８日付の拒絶理由により平成１９年６月６日付で拒絶査定がなされ、これに対し、拒絶査定不服審判の請求が平成１９年７月６日にされたものである。
　したがって、当審の審理の対象とすべき本願発明は、平成１９年４月１１日付の手続補正により補正された明細書の特許請求の範囲の請求項１及び請求項２に記載された事項により特定されるとおりのものであるところ、特にその請求項１に係る発明は、次のとおりのものである。（以下、これを「
本願発明１
「【請求項１】
　硬質樹脂によって展開形状に一体形成されるとともに、一部が硬質樹脂と軟質樹脂との２色成形によって形成された電子機器の外装ケースであって、
　前記展開形状の外装ケースの折り曲げ部を前記軟質樹脂のみによって形成したことと、
　前記外装ケースが展開された状態で電子機器の内容物が組み込まれた後に、前記折り曲げ部にて展開形状の外装ケースを折り曲げることによりケース状に形成されることと、
　前記外装ケースの底部に部分的に凸となる軟質樹脂を形成し、又は底部の全面に軟質樹脂を形成し、該軟質樹脂を振動吸収部材や滑り止め部材としたことと、
　外装ケースを把持する部分に軟質樹脂を形成して滑り止め部材としたことと、
　前記外装ケースに形成されているボタン用の孔を軟質樹脂で覆ってキートップとしたことと、
　前記外装ケースに形成されているレンズ用の孔の周縁に部分的に凸となる軟質樹脂を形成したことと、
　を特徴とする電子機器の外装ケース。」
　
２　引用刊行物及びその記載事項
（１）原審における拒絶査定の理由に引用された、本願の特許出願前に頒布された刊行物である特開平３−１６７５３８号公報（以下、「
引用刊行物１
「『産業上の利用分野』
　この発明は、撮影用カメラの外表面を形成するカメラ外被体として利用するところのカメラカバーに関する。
　『従来の技術』
　撮影用カメラの外被体を形成するカバーは、上カバー、下カバー、前側カバー及び裏蓋より構成されたもの、また、前側カバー、後側カバー、サイド力バー及び裏蓋より構成されたものが多い。上記したような部分的な各カバーと裏蓋は予め別部品として生産される。そして、各カバーと裏蓋は、各々の部品を組付けたカメラボデーの周囲に被せるようにしてねじ等により固着されている。
　『発明が解決しようとする課題』
　上記したような各カバー及び裏蓋は別部品となっているために、各々のカバー及び裏蓋を生産する加工型数、生産工数が多く、その上、その分だけ部品管理が繁雑となる。また、当然ながら組立工数なども多くなる。
　この結果、従来のカメラ力バーは、生産と組立に必ずしも好ましくなく、また、生産コストの低廉化には適さなかった。
　本発明は上記した実情にかんがみ、一体部品として生産でき、組付けに便利なカメラ力バーを開発することを目的とする。
　『課題を解決するための手段』
　上記した目的を達成するため、本発明では、ヒンジで連結した複数のカバー部分を展開した状態で型成形したプラスチック成形枠を設け、カバー部分をヒンジ部から折り返してカメラ外被体を構成したことを特徴とするプラスチック成形のカメラ力バーを提案する。
　『作　　用』
　上記したプラスチック成形枠は、複数のカバー部分を展開し、各カバー部分を一体にヒンジ連結した形態の一部品として型成形される。
　このプラスチック成形枠はカメラボデー周囲を被うようにそのカバー部分をヒンジ部より折り返して取付け、全体的なカメラ力バーとして構成する。」（１頁左欄１１行〜２頁左上欄１０行）
「この実施例のカメラ力バー１０は、カメラボデー（図示省略）のフイルムアパーチアにほぼ平行させて前後に２分割した前側カバー１１と後側カバー１２とをヒンジ１３で一体に連結した構成となっている。
図示するように、前側カバー１１はレンズ鏡胴部１１ａを一体形成した皿状体で、後側カバー１２は底部に裏蓋１４を備えた皿状体となっている。このカメラ力バー１０は、図示する如く、前側カバー１１と後側カバー１２とを展開させた形態のプラスチック成形枠として型形成したもので、ヒンジ１３を構成することができる。例えば、ポリアセタール（ＰＯＭ）樹脂材で成形してある。」（２頁右上欄１３行〜同頁左下欄５行）
「その他、前側カバー１１に設けた１１ｂはレンズ鏡胴用孔、１１ｃはレリーズボタン孔、１１ｄはスライド式メインスイッチ孔、１１ｅはファインダーと測距用の孔、１１ｆはフラッシュディフューザー用孔、１１ｇは前側カバー１１をカメラボデーに取付けるねじ穴付のボス、１１ｈは後側カバー１２を係止するフックである。」（２頁左下欄１０行〜１６行）
「前側カバー１１の孔１１ｃにはレリーズボタンを、孔１１ｄにはスライド部材を各々遊嵌させると共に、これら各孔１１ｃ、１１ｄの裏側にレリーズスイッチやメーンスイッチ基板を固定する。また、孔１１ｅにはファインダー用の対物レンズと測距光学系の保護ガラス等の透光体を接着し、さらに、孔１１ｆにはフラッシュのディフューザーを接着する。」（２頁右下欄７行〜１４行）
「以上のように各部品を取付けたカメラ力バー１０をカメラボデーに組付ける。なお、カメラボデーには予め各部品を組付けておく。
　すなわち、前側カバー１１をカメラボデーの正面側より押し当てた状態で、カメラボデーの裏側（パトローネ室やスプール室など）よりボス１１ｇにねじ止めして固定する。
続いて、後側カバー１２をヒンジ１３より曲げてカメラボデーの裏側に折り返す。このとき、後側カバー１２の孔１２ａ、１２ｂにカメラボデー側の操作部材を遊嵌させる。その後、後側カバー１２をカメラボデー側に押してロック爪１２ｅを前側カバー１１のフック１１ｈに係止させる。
　後側カバー１２の係止は第４図に示したようなロック爪１２ｅを前側カバー１１のフック１１ｈに係止させる構成となっている。この係止機構は前側力バー１１の側部に設けた小孔１１ｉより治具を差し入れロック爪１２ｅを押し逃すことによって解除することができる。」（３頁左上欄５行〜同頁右上欄３行）
「上記実施例では、カメラ力バー１０、２０に予め部品を組付けた後、このカバー１０、２０をカメラボデーに取付ける構成となっているが、全ての部品をカメラボデーに組付ける構成とし、カメラ力バー１０、２０には部品を組付けないで、そのまま力メラボデーに取付けるように構成してもよい。」（４頁右上欄２〜８行）
「『発明の効果』
　上記した通り本発明に係るカメラ力バーは、カバー部分を展開した形態の一つのプラスチック成形枠を設け、カバー部分をヒンジより折り返してカメラボデーに取付ける構成としたので、カメラ力バーの部品単価、部品管理、組立個数が削減でき、コストの低廉化に適したものとなる。
　また、本発明のカメラ力バーは外面にねじを露出させないで取付けることができるため、カメラ外観の見栄えがよく、その上、裏蓋をヒンジによって一体連結する場合、ヒンジ部に凸部が形成されないため手触りがよくなる。
　さらに、本発明のカメラカバーは、取付固定部が少なく、カバーがショックアブソーバーの作用をするので、カメラを落下させてしまったような場合でも、衝撃を吸収して破損を防ぐように働くカバーとなる。」（４頁右上欄９行〜同頁左下欄５行）
　 
　そうしてみると、引用刊行物１の上記摘記事項及び図面の図示からみて、前記引用刊行物１には、次の発明（以下、「
引用発明１
「ヒンジ部で連結した複数のカバー部分を展開した状態で型成形したプラスチック成形枠を設け、カバー部分をヒンジ部から折り返してカメラ外被体を構成したプラスチック成形のカメラ力バー１０において、
　前記プラスチック成形枠は、ポリアセタール（ＰＯＭ）樹脂材により、複数のカバー部分を展開し、各カバー部分を一体にヒンジ連結した形態の一部品として型成形されるとともに、カメラボデー周囲を被うようにそのカバー部分をヒンジ部より折り返して取付け、全体的なカメラ力バーとして構成され、
　前記カメラ外被体を構成するプラスチック成形のカメラ力バー１０は、カメラボデーのフイルムアパーチアにほぼ平行させて前後に２分割したカバー部分と、前記カバー部分を連結するヒンジ部とから構成されていて、レンズ鏡胴部１１ａを一体形成した皿状体の前側カバー１１と、底部に裏蓋１４を備えた皿状体の後側カバー１２とをヒンジ１３で一体に連結した構成とされていて、
　まず、レンズ鏡胴用孔１１ｂ、レリーズボタン孔１１ｃ等が設けられている前記前側カバー１１のレリーズボタン孔１１ｃにレリーズボタンを遊嵌させるとともに、前側カバー１１をカメラボデーの正面側より押し当てた状態で、カメラボデーの裏側よりボス１１ｇにねじ止めして固定し、続いて、後側カバー１２をヒンジ１３より曲げてカメラボデーの裏側に折り返し、後側カバー１２の孔１２ａ、１２ｂにカメラボデー側の操作部材を遊嵌させた後、後側カバー１２をカメラボデー側に押してロック爪１２ｅを前側カバー１１のフック１１ｈに係止させるようにして取付けるようになっており、
　全ての部品をカメラボデーに組付けてから前記プラスチック成形のカメラ力バー１０をそのまま力メラボデーに取付けることにより、カメラを落下させてしまったような場合でも衝撃を吸収して破損を防ぐショックアブソーバーの作用をするとともに、一体部品として生産でき、組付けに便利な撮影用カメラの外表面を形成するカメラ外被体としてのプラスチック成形のカメラカバー」
　
（２）原審における拒絶査定の理由に引用された、本願の特許出願前に頒布された刊行物である特開平１１−１０９４６８号公報（以下、「
引用刊行物２
「【０００１】【発明の属する技術分野】　本発明は、未露光の写真フイルムを内蔵するとともに、撮影レンズやシャッタ機構等からなる簡単な撮影機構を組み込んだレンズ付きフイルムユニットに関するものである。」
「【０００９】【課題を解決するための手段】　上記目的を達成するために、本発明のレンズ付きフイルムユニットにおいては、外層がエラストマー、内層が硬質のプラスチックからなる２色成形された樹脂板を用いて、少なくともユニット本体の前後を各々覆う前カバー、後カバーを形成したものである。
　【００１０】　請求項２記載の発明においては、前記樹脂板を、インサート式、回転式、或いは可動側スライド式により２色成形したものである。請求項３記載の発明においては、前記前カバーと後カバーの接合部は、前カバー側、後カバー側いずれか一方の外層が内層側に入り込み、他方の内層に密着することにより前記接合部がシールされるようにしたものである。
　【００１１】　請求項４記載の発明においては、前記レンズ付きフイルムユニットのレリーズボタン、又はストロボ充電ボタンを、内側に前記内層が形成されない、前記外層だけで形成するようにしたものである。請求項５においては、前記レンズ付きフイルムユニットのフイルム巻き上げノブの一部に、このフイルム巻き上げノブの巻き上げ力が４００ｇ以下になるように前記外層を押し当てるようにしたものである。
　【００１２】　請求項６の発明においては、前記前カバーと後カバーを係合する係合部材を形成するための穴を前記外層により掩塞するようにしたものである。」
「【００１３】【発明の実施の形態】　以下本発明の実施例を図面を参照して説明する。図１は、本発明を実施したレンズ付きフイルムユニットの外観斜視図であり、図２は、図１におけるユニット本体の分解斜視図である。レンズ付きフイルムユニット１は、本体部３と、この本体部３に取りつけられる撮影機構４、ストロボ装置５、これらを前後から覆う前カバー６、後カバー７とからなるユニット本体２と、このユニット本体２に収納される未露光の写真フイルムカートリッジ３２とからなっている。
　【００１４】　レンズ付きフイルムユニット１の外装体となる前カバー６、後カバー７は、図１上方の円内に示すように、エラストマーからなる外層４５と、硬質プラスチックからなる内層４６の２色成形により形成された樹脂板４７により構成される。レンズ付きフイルムユニット１の外面側となる外層４５を構成するエラストマーは、ゴム状弾性を有する高分子物質であり、例えば、ゴム類、熱可塑性エラストマー、弾性繊維、弾性発泡体等が挙げられる。本発明に利用されるこれらエラストマーは、硬度がＪＩＳ　Ａスケールにおいて３０〜９５の範囲のものが選択される。
　【００１５】　レンズ付きフイルムユニット１の内面側となる内層４６を構成する硬質プラスチックは、例えば、ポリエチレン、ポリスチレン、ボリエチレンテレフタレート等が挙げられる。これら２層からなる樹脂板４７は、インサート式、回転式、或いは可動側スライド式により２色成形される。
　【００１６】　前カバー６の上面には、シャッタ装置８を動作させるレリーズボタン１４が一体に設けられる。このレリーズボタン１４は、図３及び図４に示すように、エラストマーからなる外層４５と一体のものであり、このレリーズボタン１４の部分だけ、内層４６が形成されない。このレリーズボタン１４は、エラストマーの弾性を利用して押しボタンのバネ性が発揮される。
　【００１７】　このように、レリーズボタン１４をエラストマーからなる外層４５と一体のものとして形成することにより、レリーズボタン１４の周囲の隙間が完全に無くなる。従って、ゴミや異物が隙間からレンズ付きフイルムユニット１の内部に入り込んで、レンズ付きフイルムユニット１の故障や、侵入した埃が写真フイルムに付着するなどして写真性の低下することが防止される。
　【００１８】　また、前カバー６の上面には、撮影枚数表示板１２の一部を露出させる撮影枚数表示窓１５等が設けられている。ユニット本体２に収納される写真フイルムカートリッジ３２は、例えば、「Advanced Photo System」に対応したものが用いられる。この写真フイルムカートリッジ３２は、１撮影コマに２個の割合でパーフォレーションが設けられた写真フイルム３３ａと、この写真フイルム３３ａを巻き付けるスプール３４、及びこのスプール３４を回動自在に収納するカートリッジ３２ａとからなる。
　【００１９】　撮影機構４には、周知のシャッタ装置８、撮影レンズ９、ファインダ１１、及び撮影枚数表示板１２等が設けられている。前カバー６の前面には、これら撮影レンズ９、ファインダ１１等を露出させる露出穴が設けられている。また、前カバー６の前面下部には、ストロボ装置５の充電を開始させるストロボ充電ボタン１３が一体に設けられている。
　【００２０】　このストロボ充電ボタン１３も、上述したレリーズボタン１４と同様に、エラストマーからなる外層４５と一体に形成され、このストロボ充電ボタン１３の部分だけ、内層４６が形成されない。これにより、エラストマーの弾性を利用して押しボタンのバネ性が発揮され、また、ストロボ充電ボタン１３の周囲の隙間が完全に無くなるので、ゴミや異物が隙間からレンズ付きフイルムユニット１の内部に入り込むことがない。」
「【００２６】　ユニット本体２の前面に向かって左側には、カートリッジ室１８に収納される写真フイルムカートリッジ３２の外面に倣うように、前面方向に膨らんだグリップ部４０が形成されている。このグリップ部４０は、前カバー６が２層構造で外層４５がエラストマーであるため、滑りにくく、ホールド感に優れている。」
「【００２７】　このような構成のレンズ付きフイルムユニットの作用について説明する。本発明のレンズ付きフイルムユニット１は、エラストマーの外層４５と、硬質プラスチックの内層４６との２色成形された樹脂板４７で前カバー６と後カバー７とが形成されており、前カバー６と後カバー７との接合部や巻き上げノブ２１の露出部分における隙間は、外層４５により密着、或いは塞がれているので、ゴミや異物が隙間からレンズ付きフイルムユニット１の内部に入り込むことがなく、これらが原因となる動作不良や故障を防止することができる。また、簡易な生活防水機能を付与することもできる。
　【００２８】　また、ストロボ充電ボタン１３やレリーズボタン１４を、弾性のある外層４５で一体に形成し、この部分だけ硬質な内層を設けないようにしたので、これら可動部分の組み立てを容易にし、ストロボ充電ボタン１３やレリーズボタン１４の隙間からゴミや異物が隙間からレンズ付きフイルムユニット１の内部に入り込むことを防止できる。
　【００２９】　更に、エラストマーの外層４５と、硬質プラスチックの内層４６との２色成形された樹脂板４７で前カバー６と後カバー７とが形成したので、撮影者がレンズ付きフイルムユニットを握持するグリップ部４０が柔軟なエラストマーで覆われることになり、グリップ部４０が滑りにくく、ホールド感に優れるようになり、レンズ付きフイルムユニット１の落下等の可能性が少なくなる。
　【００３０】　また、レンズ付きフイルムユニット１の外面が弾性のあるエラストマーでできた外層４５で覆われることにより、万一、レンズ付きフイルムユニット１を落下させたりしても、衝撃が緩和され、レンズ付きフイルムユニットの破損や動作不良等を防止することができる。
　【００３１】【発明の効果】　以上のように、本発明のレンズ付きフイルムユニットによれば、外層がエラストマー、内層が硬質のプラスチックからなる２色成形された樹脂板を用いて、少なくともユニット本体の前後を各々覆う前カバー、後カバーを形成したので、内部にゴミや異物の侵入を防ぎ、かつ、衝撃吸収性に優れたレンズ付きフイルムユニットを提供することが可能になる。」
　
（３）原審における拒絶査定の理由に引用された、本願の特許出願前に頒布された刊行物である特開平６−２６８７２４号公報（以下、「
引用刊行物３
「【０００１】【産業上の利用分野】　本発明は、携帯用折たたみ式電子機器に係り、特に送話器付き筺体と受話器付き筺体のヒンジ部を改良した携帯電話機用の携帯用折たたみ式電子機器に関する。」
「【００１４】＜他の実施例による携帯用折たたみ式電話機の構造説明＞
　次に他の実施例による携帯用折たたみ式電話機について図１３及び図１４を参照して説明する。本実施例による電話機は、概略、筺体１及び２に配置する表
紙
３２
３２
　この様に本実施例による電話機は、図１４（イ）に示すヒンジ部１０のＥ−Ｅ断面，（ロ）に示す表示部８及び機能ボタン６のＤ−Ｄ断面，（ハ）に示すダイヤルボタン３のＦ−Ｆ断面，（ニ）に示す筺体周囲のＧ−Ｇ断面，（ホ）に示すコーナー部５のＨ−Ｈ断面の様に、夫々の部位の配置箇所周囲に軟質性樹脂（図中、点網目で示す）が注入されるランナゲート
３２
　
（４）原審における拒絶査定の理由に引用された、本願の特許出願前に頒布された刊行物である特開２０００−１２８２０２号公報（以下、「
周知技術文献１
「【０００１】【発明の属する技術分野】　本発明は、開口部を有する筐体の内部保護などを目的とした蓋として用いられる、開閉機能を持ったカバーに関するものである。」
「【００１５】【課題を解決するための手段】　以下、添付図面中の参照符号を用いて説明すると、本発明の開閉カバーは、図１と図４に例示したように筐体１８の開口部１９塞ぐ形状を持ったカバー主体部１と、筐体へ取付ける形状を持った基部２と、カバー主体部１と基部２の間をつなぐヒンジ部３とから構成される。
　カバー主体部１と基部２の成形材料には硬質樹脂が使用されるが、最適の実施形態としては、カバー主体部１と基部２の硬質樹脂として筐体１８の成形材料と同じ種類の硬質樹脂が使用される。カバー主体部１と基部２の間をつなぐヒンジ部３の成形材料には軟質樹脂を使用し、カバー主体部１と基部２およびヒンジ部３は一体化された構造を持つ。
　カバー主体部１は筐体１８に設けた開口部１９の全部または大部分を閉塞する形状と大きさを有するものであるが、筐体１８の形状構造によっては、カバー主体部１が閉塞し切れない辺境部分を、カバー主体部１につづくヒンジ部３が閉塞することもある。
　【００１６】　本発明の開閉カバー付き筐体は、図６に例示したように筐体２３と、筐体２３の開口部２５を塞ぐ形状を持ったカバー主体部２２と、筐体２３とカバー主体部２２の間をつなぐヒンジ部２４とから構成される。
　筐体２３とカバー主体部２２の成形材料には硬質樹脂が使用され、最適の実施形態としては、カバー主体部２２の硬質樹脂と筐体２３の硬質樹脂は同じ種類のものが使用される。筐体２３とカバー主体部２２の間をつなぐヒンジ部２４の成形材料には軟質樹脂を使用し、筐体２３とカバー主体部２２およびヒンジ部２４は一体化された構造を持つ。
　カバー主体部２２は筐体２３に設けた開口部２５の全部または大部分を閉塞する形状と大きさを有するものであるが、筐体２３の形状構造によっては、カバー主体部２２が閉塞し切れない辺境部分を、カバー主体部２２につづくヒンジ部２４が閉塞することもある。
　【００１７】　上記開閉カバーと開閉カバー付き筐体のいずれの場合においても、１次成形によって硬質樹脂から成るカバー主体部１と基部２、あるいは筐体２３とカバー主体部２２を成形し、２次成形によって軟質樹脂から成るヒンジ部３あるいはヒンジ部２４を成形する、異材質成形方法（二色成形方法とも呼ばれる）によって製作することができる。」
　
（５）原審における拒絶査定の理由に引用された、本願の特許出願前に頒布された刊行物である特開平１０−２４５０４８号公報（以下、「
周知技術文献２
「【０００１】【発明の属する技術分野】　本発明は、ビニル袋等の開口部を封止する合成樹脂製の挟持具に関する。」
「【０００４】【課題を解決するための手段】　本発明の挟持具は、ヒンジ部で二つ折りにされる熱可塑性硬質樹脂製の板状体の両先端部近傍の内側に、それぞれヒンジに平行な互いに嵌合する凸条及び凹溝を形成し、さらに前記板状体の凸条及び凹溝とヒンジ部との間に、少なくとも頂部が軟質樹脂で形成された複数の係止用突条を形成している。また、上記挟持具のヒンジ部で二つ折りにされる板状体の先端に、嵌脱用の舌片を設け、さらには、ヒンジ部を軟質樹脂で形成した構成としている。
　【０００５】　本発明の挟持具では、板状体の内側に形成される係止用突条は、少なくとも頂部が軟質樹脂で形成されていることが重要である。この形成方法としては、硬質樹脂からなる板状体上に一体に成形する係止用突条の頂部に、二色押出し等の手段により軟質樹脂を被覆するか、軟質樹脂で成形した係止用突条を硬質樹脂製の板状体の内側に接着一体化して形成する。」
「【０００８】　本発明の挟持具は、板状体を熱可塑性硬質樹脂で形成するが、ヒンジ部は曲げ強度を高めるため軟質樹脂で形成すると良く、この場合には、板状体を構成する硬質樹脂とヒンジ部を構成する軟質樹脂は、同種の樹脂を用いるのが好ましい。
　【０００９】　本発明の挟持具は、ポリプロピレン（ＰＰ）、ポリエチレン（ＰＥ）、ポリ塩化ビニル（ＰＶＣ）などの熱可塑性樹脂を、硬質樹脂と軟質樹脂とに分け、二色押出しによりダイスから、連続的に押し出して成形し、所定の長さに裁断して製造する。」
「【００１０】【発明の実施の形態】　以下、添付図面に基づいて、本発明についての一実施の形態を説明する。
　図１は、本発明の挟持具の一例で、閉じた状態の断面図であり、図２は、本発明の挟持具の開いた状態の斜視図、図３は、本発明の挟持具にビニル袋の開口部を束ねて挟んだ状態の斜視図である。
　１は、挟持具、２はヒンジ部、３，４は板状体、５は凸条、６は凹溝、７，８は係止用突条である。
　【００１１】　図で示すように、本発明の挟持具１は、ヒンジ部２で二つ折りにされる熱可塑性硬質樹脂Ａからなる板状体３，４からなり、この板状体３，４の両先端部近傍の内側には、ヒンジ部２に平行で互いに嵌合する凸条５と凹溝６が形成され、また板状体の凸条５及び凹溝６とヒンジ部２との間には、複数の係止用突条７，８が形成されている。この係止用突条７，８は、互いに突き合うことのないように交互に並列して設けられ、それらの頂部は、いずれも熱可塑性の軟質樹脂Ｂで形成されている。
　また、板状体３，４の先端には、コーナがアールに加工された嵌脱用の舌片９，１０が、挟持具１を閉じたときに指先が入る程度の間隔があくように一体に形成されている。
　さらに、ヒンジ部２は、係止用突条７，８の頂部と同様に軟質樹脂Ｂで形成されている。」
　
３　当審の判断 
（１）対比 
　本願発明１と上記引用発明１とを対比する。
　まず、引用発明１の「プラスチック成形のカメラ力バー１０」が、本願発明１の「機器の外装ケース」に相当する。
　また、引用発明１の「ヒンジ部」が、本願発明１の「外装ケースの折り曲げ部」に相当する。
　さらに、引用発明１の「複数のカバー部分」が、本願発明１の「前記展開形状の外装ケース」に相当する。
　そして、引用発明１の「まず、レンズ鏡胴用孔１１ｂ、レリーズボタン孔１１ｃ等が設けられている前記前側カバー１１のレリーズボタン孔１１ｃにレリーズボタンを遊嵌させるとともに、前側カバー１１をカメラボデーの正面側より押し当てた状態で、カメラボデーの裏側よりボス１１ｇにねじ止めして固定し、続いて、後側カバー１２をヒンジ１３より曲げてカメラボデーの裏側に折り返し、後側カバー１２の孔１２ａ、１２ｂにカメラボデー側の操作部材を遊嵌させた後、後側カバー１２をカメラボデー側に押してロック爪１２ｅを前側カバー１１のフック１１ｈに係止させるようにして取付けるようになっており、全ての部品をカメラボデーに組付けてから前記プラスチック成形のカメラ力バー１０をそのまま力メラボデーに取付けること」が、本願発明１の「前記外装ケースが展開された状態で機器の内容物が組み込まれた後に、前記折り曲げ部にて展開形状の外装ケースを折り曲げることによりケース状に形成されること」に対応する。
　ところで、引用発明１の「ポリアセタール（ＰＯＭ）樹脂材」は、エンジニアリングプラスチック材料の一つであり、金属に代わる素材として周知のものであることから、引用発明１の前記「ポリアセタール（ＰＯＭ）樹脂材」は、硬質樹脂であることが明らかであるので、引用発明１の「前記プラスチック成形枠は、ポリアセタール（ＰＯＭ）樹脂材により、複数のカバー部分を展開し、各カバー部分を一体にヒンジ連結した形態の一部品として型成形される」が、本願発明１の「硬質樹脂によって展開形状に一体形成される」に相当する。
　
　そうすると、本願発明１と引用発明１の両者は、
「硬質樹脂によって展開形状に一体形成される機器の外装ケースであって、
　前記展開形状の外装ケースの折り曲げ部を樹脂によって形成したことと、
　前記外装ケースが展開された状態で機器の内容物が組み込まれた後に、前記折り曲げ部にて展開形状の外装ケースを折り曲げることによりケース状に形成されることと、
　を特徴とする電子機器の外装ケース」
である点で一致し、次の点で両者の構成が相違する。
　
相違点１
　
相違点２
　
相違点３
　
相違点４
　
相違点５
　
相違点６
　
相違点７
　
（２）相違点についての検討 
ア　相違点１について
　引用発明１の「カメラ」が、電子機器に属するか否かは、引用刊行物１の記載では明確ではないが、本願特許出願時における「カメラ」は、高度にＡＩ（artificial intelligence）化されていて、なにがしかの電子装置を具備していることは、本願特許出願時の当該技術分野における技術常識であるといえる。
　また、上記引用刊行物３にも、携帯用折りたたみ式電話機に関する発明が記載されていて、前記携帯用折りたたみ式電話機においても、引用刊行物３の図８に図示されているように、携帯用折りたたみ式電話機の送話器側筐体１と受話器側の筐体２とが、内部に電子部品１４を備える送話器及び受話器の本体を格納するように構成されていて、前記携帯用折りたたみ式電話機が、少なくとも電子装置を具備していることは、本願特許出願時の当該技術分野における技術常識であるといえる。
　以上のことから、本願特許出願時の当該技術分野における技術常識によれば、「カメラ」あるいは「携帯用折りたたみ式電話機」のような工業製品は、「電子機器」に属することは、明らかである。
　そうすると、外装ケースが組み込むべき内容物を、引用発明１のカメラに代えて、本願特許出願時の当該技術分野における技術常識により、前記相違点１に係る本願発明１の前記「電子機器」の構成に変更することは、当業者が格別の技術力を要せずとも容易に想到できることである。
　
イ　相違点２について
　上記引用刊行物２の段落【０００９】に「上記目的を達成するために、本発明のレンズ付きフイルムユニットにおいては、外層がエラストマー、内層が硬質のプラスチックからなる２色成形された樹脂板を用いて、少なくともユニット本体の前後を各々覆う前カバー、後カバーを形成したものである。」が記載され、また、段落【００２７】に「このような構成のレンズ付きフイルムユニットの作用について説明する。本発明のレンズ付きフイルムユニット１は、エラストマーの外層４５と、硬質プラスチックの内層４６との２色成形された樹脂板４７で前カバー６と後カバー７とが形成されており、前カバー６と後カバー７との接合部や巻き上げノブ２１の露出部分における隙間は、外層４５により密着、或いは塞がれているので、ゴミや異物が隙間からレンズ付きフイルムユニット１の内部に入り込むことがなく、これらが原因となる動作不良や故障を防止することができる。また、簡易な生活防水機能を付与することもできる。」が記載され、そして、段落【００２９】に「更に、エラストマーの外層４５と、硬質プラスチックの内層４６との２色成形された樹脂板４７で前カバー６と後カバー７とが形成したので、撮影者がレンズ付きフイルムユニットを握持するグリップ部４０が柔軟なエラストマーで覆われることになり、グリップ部４０が滑りにくく、ホールド感に優れるようになり、レンズ付きフイルムユニット１の落下等の可能性が少なくなる。」が記載され、さらに、段落【００３１】にも「以上のように、本発明のレンズ付きフイルムユニットによれば、外層がエラストマー、内層が硬質のプラスチックからなる２色成形された樹脂板を用いて、少なくともユニット本体の前後を各々覆う前カバー、後カバーを形成したので、内部にゴミや異物の侵入を防ぎ、かつ、衝撃吸収性に優れたレンズ付きフイルムユニットを提供することが可能になる。」が記載されている。
　かかる引用刊行物２には、「樹脂板４７のエラストマーの外層４５と、硬質プラスチックの内層４６とを２色成形する技術」が記載されているといえる。
　そして、引用刊行物２に記載の前記「樹脂板４７のエラストマーの外層４５と、硬質プラスチックの内層４６とを２色成形する技術」は、本願発明１の「一部が硬質樹脂と軟質樹脂との２色成形によって形成」することにほかならない。
　さすれば、引用発明１に、前記引用刊行物２に記載の前記「樹脂板４７のエラストマーの外層４５と、硬質プラスチックの内層４６とを２色成形する技術」を適用することにより、前記相違点２に係る本願発明１の前記「一部が硬質樹脂と軟質樹脂との２色成形によって形成」される構成とすることは、当業者が容易に想到することができることである。
　
ウ　相違点３について
　上記周知技術文献１の段落【００１７】に「上記開閉カバーと開閉カバー付き筐体のいずれの場合においても、１次成形によって硬質樹脂から成るカバー主体部１と基部２、あるいは筐体２３とカバー主体部２２を成形し、２次成形によって軟質樹脂から成るヒンジ部３あるいはヒンジ部２４を成形する、異材質成形方法（二色成形方法とも呼ばれる）によって製作することができる。」が記載されている。
　そして、上記周知技術文献２の段落【０００８】に「本発明の挟持具は、板状体を熱可塑性硬質樹脂で形成するが、ヒンジ部は曲げ強度を高めるため軟質樹脂で形成すると良く、この場合には、板状体を構成する硬質樹脂とヒンジ部を構成する軟質樹脂は、同種の樹脂を用いるのが好ましい。」が記載され、また、段落【０００９】に「本発明の挟持具は、ポリプロピレン（ＰＰ）、ポリエチレン（ＰＥ）、ポリ塩化ビニル（ＰＶＣ）などの熱可塑性樹脂を、硬質樹脂と軟質樹脂とに分け、二色押出しによりダイスから、連続的に押し出して成形し、所定の長さに裁断して製造する。」が記載されている。
　そうすると、周知技術文献１及び周知技術文献２の記載事項からみて、「折り曲げ部を二色成形法により形成した軟質樹脂のみによって形成すること」は、本願特許出願時の周知慣用技術であるといえる。
　さすれば、引用発明１に、前記周知慣用技術を適用することにより、前記相違点３に係る本願発明１の前記「折り曲げ部を前記軟質樹脂のみによって形成した」構成とすること、当業者が容易に想到することができたものである。
　
エ　相違点４について
　上記引用刊行物２の段落【００１４】に「レンズ付きフイルムユニット１の外装体となる前カバー６、後カバー７は、図１上方の円内に示すように、エラストマーからなる外層４５と、硬質プラスチックからなる内層４６の２色成形により形成された樹脂板４７により構成される。レンズ付きフイルムユニット１の外面側となる外層４５を構成するエラストマーは、ゴム状弾性を有する高分子物質であり、例えば、ゴム類、熱可塑性エラストマー、弾性繊維、弾性発泡体等が挙げられる。本発明に利用されるこれらエラストマーは、硬度がＪＩＳ　Ａスケールにおいて３０〜９５の範囲のものが選択される。」が記載され、また、段落【００１５】に「レンズ付きフイルムユニット１の内面側となる内層４６を構成する硬質プラスチックは、例えば、ポリエチレン、ポリスチレン、ボリエチレンテレフタレート等が挙げられる。これら２層からなる樹脂板４７は、インサート式、回転式、或いは可動側スライド式により２色成形される。」が記載されている。
　そうすると、引用刊行物２の上記記載事項からみて、引用刊行物２には、「レンズ付きフイルムユニット１の外装体となる前カバー６、後カバー７が、エラストマーからなる外層４５と、硬質プラスチックからなる内層４６の２色成形により形成された樹脂板４７により構成され、前記樹脂板４７の外面側となる外層４５を構成するエラストマーは、ゴム類、熱可塑性エラストマー、弾性繊維、弾性発泡体等のゴム状弾性を有する高分子物質であり、前記樹脂板４７の内面側となる内層４６は、ポリエチレン、ポリスチレン、ボリエチレンテレフタレート等の硬質プラスチックからなる構成」が記載されているといえる。
　さすれば、引用刊行物２に記載のレンズ付きフイルムユニット１の前カバー６及び後カバー７からなる外装体の樹脂板４７の外面側となる外層４５は、ゴム類、熱可塑性エラストマー、弾性繊維、弾性発泡体等のゴム状弾性を有する高分子物質で構成されていることから、引用刊行物２に記載のレンズ付きフイルムユニット１の前カバー６及び後カバー７からなる外装体の底面についても、同様に、ゴム類、熱可塑性エラストマー、弾性繊維、弾性発泡体等のゴム状弾性を有する高分子物質で構成されているといえる。
　しかも、引用刊行物２には、その段落【００３０】に「また、レンズ付きフイルムユニット１の外面が弾性のあるエラストマーでできた外層４５で覆われることにより、万一、レンズ付きフイルムユニット１を落下させたりしても、衝撃が緩和され、レンズ付きフイルムユニットの破損や動作不良等を防止することができる。」とも記載されていることから、引用刊行物２に記載の前記構成は、本願発明１の「前記外装ケースの底部の全面に軟質樹脂を形成し、該軟質樹脂を振動吸収部材や滑り止め部材とした」構成にほかならない。
　さすれば、引用発明１に、前記引用刊行物２に記載の前記「レンズ付きフイルムユニット１の外装体となる前カバー６、後カバー７が、エラストマーからなる外層４５と、硬質プラスチックからなる内層４６の２色成形により形成された樹脂板４７により構成され、前記樹脂板４７の外面側となる外層４５を構成するエラストマーは、ゴム類、熱可塑性エラストマー、弾性繊維、弾性発泡体等のゴム状弾性を有する高分子物質であり、前記樹脂板４７の内面側となる内層４６は、ポリエチレン、ポリスチレン、ボリエチレンテレフタレート等の硬質プラスチックからなる構成」を適用することにより、前記相違点４に係る本願発明１の前記「前記外装ケースの底部の全面に軟質樹脂を形成し、該軟質樹脂を振動吸収部材や滑り止め部材とした」構成を備えるようにすることは、当業者が容易に想到することができることである。
　
オ　相違点５について
　上記引用刊行物２の段落【００２６】に「ユニット本体２の前面に向かって左側には、カートリッジ室１８に収納される写真フイルムカートリッジ３２の外面に倣うように、前面方向に膨らんだグリップ部４０が形成されている。このグリップ部４０は、前カバー６が２層構造で外層４５がエラストマーであるため、滑りにくく、ホールド感に優れている。」が記載されている。
　そうすると、引用刊行物２の上記記載事項からみて、引用刊行物２には、「ユニット本体２の前面に向かって左側に形成されている前面方向に膨らんだグリップ部４０が、滑りにくくホールド感に優れる、前カバー６の外層４５のエラストマーである構成」が記載されているといえる。
　そして、引用刊行物２に記載の前記構成は、本願発明１の「外装ケースを把持する部分に軟質樹脂を形成して滑り止め部材とした」構成にほかならない。
　さすれば、引用発明１に、前記引用刊行物２に記載の前記「ユニット本体２の前面に向かって左側に形成されている前面方向に膨らんだグリップ部４０が、滑りにくくホールド感に優れる、前カバー６の外層４５のエラストマーである構成」を適用することにより、前記相違点５に係る本願発明１の前記「外装ケースを把持する部分に軟質樹脂を形成して滑り止め部材とした」構成を備えるようにすることは、当業者が容易に想到することができることである。
　
カ　相違点６について
　上記引用刊行物２の段落【００１６】に「前カバー６の上面には、シャッタ装置８を動作させるレリーズボタン１４が一体に設けられる。このレリーズボタン１４は、図３及び図４に示すように、エラストマーからなる外層４５と一体のものであり、このレリーズボタン１４の部分だけ、内層４６が形成されない。このレリーズボタン１４は、エラストマーの弾性を利用して押しボタンのバネ性が発揮される。」が記載され、また、段落【００１７】に「このように、レリーズボタン１４をエラストマーからなる外層４５と一体のものとして形成することにより、レリーズボタン１４の周囲の隙間が完全に無くなる。従って、ゴミや異物が隙間からレンズ付きフイルムユニット１の内部に入り込んで、レンズ付きフイルムユニット１の故障や、侵入した埃が写真フイルムに付着するなどして写真性の低下することが防止される。」が記載され、そして、その図４には、「エラストマーからなる外層４５と一体のものとして形成したレリーズボタン１４が、このレリーズボタン１４の部分だけ内層４６が形成されない構成のレリーズボタン１４の断面図」が記載されている。
　そうすると、引用刊行物２の上記記載事項からみて、引用刊行物２には、「レンズ付きフイルムユニット１の前カバー６の上面に設けられたシャッタ装置８を動作させるレリーズボタン１４の部分だけ、内層４６が形成されずにエラストマーからなる外層４５と一体のものとして形成する構成」が記載されているといえる。
　そして、引用刊行物２に記載の前記構成は、本願発明１の「前記外装ケースに形成されているボタン用の孔を軟質樹脂で覆ってキートップとした」構成にほかならない。
　また、上記引用刊行物３にも、その段落【００１４】に「本実施例による電話機は、概略、筺体１及び２に配置する表示部８，ダイヤルボタン３，送受話器４及び７，機能ボタン６等の各部位の周囲に軟質性樹脂を注入してこれら部位の耐衝撃性を向上したものである。・・・前記各筺体１及び２内部で各部位、例えばダイヤルボタン３，コーナー部５，機能ボタン６の配置箇所周囲をつなぐ溝であるランナゲート３１を設け、このランナゲート３１に軟質性樹脂を注入して各部位を軟質性樹脂により囲す様に構成した・・・。・・・夫々の部位の配置箇所周囲に軟質性樹脂（図中、点網目で示す）が注入されるランナゲート３１がめぐらされている。従って本実施例による携帯用折たたみ式電話機は、ダイヤルボタン等の複数の部位周辺を軟質性樹脂により覆い、」が記載され、それらの断面図が、図１４に図示されている。かかる引用刊行物３に記載の「ダイヤルボタン３，機能ボタン６の配置箇所周囲をつなぐ溝であるランナゲート３１を設け、このランナゲート３１に軟質性樹脂を注入して各部位を軟質性樹脂により囲す様に構成し、夫々の部位の配置箇所周囲に軟質性樹脂が注入されて、ダイヤルボタン等の複数の部位周辺を軟質性樹脂により覆う構成」は、本願発明１の「前記外装ケースに形成されているボタン用の孔を軟質樹脂で覆ってキートップとした」構成にほかならない。
　さすれば、引用発明１に、前記引用刊行物２に記載の前記「レンズ付きフイルムユニット１の前カバー６の上面に設けられたシャッタ装置８を動作させるレリーズボタン１４の部分だけ、内層４６が形成されずにエラストマーからなる外層４５と一体のものとして形成する構成」、あるいは、前記引用刊行物３に記載の「ダイヤルボタン３，機能ボタン６の配置箇所周囲をつなぐ溝であるランナゲート３１を設け、このランナゲート３１に軟質性樹脂を注入して各部位を軟質性樹脂により囲す様に構成し、夫々の部位の配置箇所周囲に軟質性樹脂が注入されて、ダイヤルボタン等の複数の部位周辺を軟質性樹脂により覆う構成」を適用することにより、前記相違点６に係る本願発明１の前記「前記外装ケースに形成されているボタン用の孔を軟質樹脂で覆ってキートップとした」構成を備えるようにすることは、当業者が容易に想到することができることである。
　
キ　相違点７について
　上記引用刊行物２の段落【００１４】に「レンズ付きフイルムユニット１の外装体となる前カバー６、後カバー７は、図１上方の円内に示すように、エラストマーからなる外層４５と、硬質プラスチックからなる内層４６の２色成形により形成された樹脂板４７により構成される。レンズ付きフイルムユニット１の外面側となる外層４５を構成するエラストマーは、ゴム状弾性を有する高分子物質であり、例えば、ゴム類、熱可塑性エラストマー、弾性繊維、弾性発泡体等が挙げられる。」が記載され、また、段落【００１９】に「前カバー６の前面には、これら撮影レンズ９、ファインダ１１等を露出させる露出穴が設けられている。」が記載され、そして、その図１には、「エラストマーからなる外層４５と、硬質プラスチックからなる内層４６の２色成形により形成された樹脂板４７により構成されるレンズ付きフイルムユニット１の外装体となる前カバー６の前面に、撮影レンズ９を露出させる露出穴が設けられていて、前記撮影レンズ９を露出させる露出穴の周囲が、部分的に凸に形成されている外観斜視図」が記載されている。
　そうすると、引用刊行物２の上記記載事項からみて、引用刊行物２には、「レンズ付きフイルムユニット１の外装体となる前カバー６の前面に設けられている撮影レンズ９を露出させる露出穴の周囲が、部分的に凸に形成されていて、前記撮影レンズ９を露出させる露出穴の周囲は、エラストマーからなる外層４５で形成されている構成」が記載されているといえる。
　そして、引用刊行物２に記載の前記構成は、本願発明１の「前記外装ケースに形成されているレンズ用の孔の周縁に部分的に凸となる軟質樹脂を形成した」構成にほかならない。
　さすれば、引用発明１に、前記引用刊行物２に記載の前記「レンズ付きフイルムユニット１の外装体となる前カバー６の前面に設けられている撮影レンズ９を露出させる露出穴の周囲が、部分的に凸に形成されていて、前記撮影レンズ９を露出させる露出穴の周囲は、エラストマーからなる外層４５で形成されている構成」を適用することにより、前記相違点７に係る本願発明１の前記「前記外装ケースに形成されているレンズ用の孔の周縁に部分的に凸となる軟質樹脂を形成した」構成を備えるようにすることは、当業者が容易に想到することができることである。
　
　そして、本願発明１の奏する作用効果は、引用発明１、引用刊行物２及び引用刊行物３に記載された発明、並びに周知技術から予測できる範囲内のものであって、格別のものということができない。
　
（４）まとめ 
　以上のとおりであるから、本願発明１は、本願特許出願前に当業者が上記引用発明１、引用刊行物２及び引用刊行物３に記載された発明、並びに周知技術に基いて容易に発明をすることができたものである。
　
４　むすび 
　以上のとおり、請求項１に係る本願発明１は、本願特許出願前に当業者が上記引用発明１、引用刊行物２及び引用刊行物３に記載された発明、並びに周知技術に基いて容易に発明をすることができたものであり、本願発明１は特許法第２９条第２項の規定により特許を受けることができないから、他の請求項に係る発明について検討するまでもなく、本願は、拒絶されるべきである。
　よって、結論のとおり審決する。